(57)【要約】  マルチメディアサービスのようなサービスを、異なるネットワークを介して設定及び受信する技法が説明される。ホームゲートウェイにより結合される第1及び第2ネットワークは、第1及び第2無線アクセス技術を使用する。無線アクセス技術間のインターフェースは、下りリンクチャネル設定要求を伝送する。上りリンク及び下りリンク制御信号は、第1ネットワークを介して伝送される。第1ネットワークを介した上りリンク及び下りリンク制御信号のやり取りの後、マルチメディアデータは、第2ネットワークを介して受信される。
2010500800.tif 000002
【特許請求の範囲】
【請求項１】
第1及び第2の無線ネットワーク各自の第1及び第2の無線アクセス技術を用いて、1対多のサービスセンタを第1及び第2無線ネットワークに動作可能に結合するホームゲートウェイであって、
前記第1の無線ネットワークは、上りリンク及び下りリンク制御信号を無線端末と通信し、
前記第1の無線ネットワーク及び前記無線端末間で上りリンク及び下りリンク制御信号がやり取りされたことに応じて、前記第2の無線ネットワークは、1対多の信号を前記無線端末に送信する、ホームゲートウェイ。
【請求項２】
前記第1の無線アクセス技術がW-CDMA方式であり、前記第2の無線アクセス方式がTD-CDMA方式である、請求項1記載のホームゲートウェイ。
【請求項３】
前記第1の無線アクセス技術がW-CDMA方式であり、前記第2の無線アクセス方式がW-CDMA方式である、請求項1記載のホームゲートウェイ。
【請求項４】
前記第1の無線アクセス技術がTD-CDMA方式であり、前記第2の無線アクセス方式がTD-CDMA方式である、請求項1記載のホームゲートウェイ。
【請求項５】
前記1対多のサービスセンタが、ブロードキャスト／マルチキャストサービスセンタであり、
前記1対多の信号が、ブロードキャスト／マルチキャストサービスである、請求項1乃至4の何れか1項に記載のホームゲートウェイ。
【請求項６】
前記第1の無線ネットワーク及び当該ホームゲートウェイは、モビリティアンカを介して結合されている、請求項1乃至5の何れか1項に記載のホームゲートウェイ。
【請求項７】
前記第2の無線ネットワークが、当該ホームゲートウェイに直接的に接続される、請求項1乃至6の何れか1項に記載のホームゲートウェイ。
【請求項８】
第1の周波数帯域で信号を受信する第1の受信機と、
第2の周波数帯域で信号を受信する第2の受信機と、
或る周波数帯域で信号を送信する送信機と、
前記第1及び第2の受信機並びに前記送信機に動作可能に結合された論理装置と、
を有し、前記論理装置は、
第1の無線ネットワークの第1の基地局に、前記送信機が上りリンクの制御信号を送信すること、
前記第2の受信機が、前記第1の基地局から下りリンクの制御信号を受信すること、及び
前記第1の基地局及び前記無線端末間で上りリンク及び下りリンク制御信号がやり取りされたことに応じて、前記第1の受信機が、第2の無線ネットワークの第2の基地局から、1対多の信号を受信すること、
を引き起こす、無線端末。
【請求項９】
送信する周波数帯域は、第3の周波数帯域である、請求項8記載の無線端末。
【請求項１０】
送信する周波数帯域は、前記第2の周波数帯域である、請求項8記載の無線端末。
【請求項１１】
前記下りリンクの制御信号は、サービスアナウンスメントを更に有する、請求項8乃至10の何れか1項に記載の無線端末。
【請求項１２】
前記1対多の信号が、ブロードキャスト／マルチキャストサービスを表す、請求項8乃至11の何れか1項に記載の無線端末。
【請求項１３】
前記第1の受信機は、TD-CDMA信号を受信し、前記第2の受信機及び前記送信機は、W-CDMA信号を受信及び送信する、請求項8記載の無線端末。
【請求項１４】
前記第1の受信機は、TD-CDMA信号を受信し、前記第2の受信機及び前記送信機は、TD-CDMA信号を異なる周波数帯域で受信及び送信する、請求項8乃至13の何れか1項に記載の無線端末。
【請求項１５】
前記第1の受信機は、W-CDMA信号を受信し、前記第2の受信機及び前記送信機は、W-CDMA信号を異なる周波数帯域で受信及び送信する、請求項8乃至13の何れか1項に記載の無線端末。
【請求項１６】
無線端末において1対多サービスを受信する方法であって、
第1の無線ネットワークを介してサービス登録要求を送信するステップと、
前記第1の無線ネットワークを介してサービス鍵を受信するステップと、
前記第1の無線ネットワークを介して1対多サービスの配信要求を送信するステップと、
第2の無線ネットワークを介して１対多サービスを受信するステップと
を有する方法。
【請求項１７】
前記第1の無線ネットワークがW-CDMAにおけるFDDネットワークであり、前記第2の無線ネットワークがTD-CDMA方式の下りリンク専用のネットワークである、請求項16記載の方法。
【請求項１８】
前記第1の無線ネットワークがW-CDMAにおけるFDDネットワークであり、前記第2の無線ネットワークがW-CDMA方式の下りリンク専用のネットワークである、請求項16記載の方法。
【請求項１９】
前記第1の無線ネットワークがTD-CDMAにおけるTDDネットワークであり、前記第2の無線ネットワークがTD-CDMA方式の下りリンク専用のネットワークである、請求項16記載の方法。
【請求項２０】
前記1対多サービスが、ブロードキャスト／マルチキャスト送信を行う、請求項16乃至19の何れか1項に記載の方法。
【請求項２１】
無線端末により1対多サービスを受信するための命令を含むコンピュータ読取可能な媒体であって、前記命令は或る方法を前記無線端末に実行させ、該方法は、
第1の無線ネットワークを介してサービス登録要求を送信するステップと、
前記第1の無線ネットワークを介してサービス鍵を受信するステップと、
前記第1の無線ネットワークを介して1対多サービスの配信要求を送信するステップと、
第2の無線ネットワークを介して１対多サービスを受信するステップと
を有する、コンピュータ読取可能な媒体。
【請求項２２】
前記第1の無線ネットワークがW-CDMAにおけるFDDネットワークであり、前記第2の無線ネットワークがTD-CDMA方式の下りリンク専用のネットワークである、請求項21記載のコンピュータ読取可能な媒体。
【請求項２３】
前記第1の無線ネットワークがW-CDMAにおけるFDDネットワークであり、前記第2の無線ネットワークがW-CDMA方式の下りリンク専用のネットワークである、請求項21記載のコンピュータ読取可能な媒体。
【請求項２４】
前記第1の無線ネットワークがTD-CDMAにおけるTDDネットワークであり、前記第2の無線ネットワークがTD-CDMA方式の下りリンク専用のネットワークである、請求項21記載のコンピュータ読取可能な媒体。
【請求項２５】
前記1対多サービスが、ブロードキャスト／マルチキャスト送信を行う、請求項21乃至24の何れか1項に記載のコンピュータ読取可能な媒体。
【請求項２６】
無線端末に1対多サービスを提供する方法であって、
第1の無線ネットワークを介してサービス登録要求を受信するステップと、
前記第1の無線ネットワークを介してサービス鍵を送信するステップと、
前記第1の無線ネットワークを介して1対多サービスの配信要求を受信するステップと、
第2の無線ネットワークを介して１対多サービスを送信するステップと
を有する方法。
【請求項２７】
前記第1の無線ネットワークがW-CDMAにおけるFDDネットワークであり、前記第2の無線ネットワークがTD-CDMA方式の下りリンク専用のネットワークである、請求項26記載の方法。
【請求項２８】
前記第1の無線ネットワークがW-CDMAにおけるFDDネットワークであり、前記第2の無線ネットワークがW-CDMA方式の下りリンク専用のネットワークである、請求項26記載の方法。
【請求項２９】
前記第1の無線ネットワークがTD-CDMAにおけるTDDネットワークであり、前記第2の無線ネットワークがTD-CDMA方式の下りリンク専用のネットワークである、請求項26記載の方法。
【請求項３０】
前記1対多サービスが、ブロードキャスト／マルチキャスト送信を行う、請求項26乃至29の何れか1項に記載の方法。
【請求項３１】
請求項26乃至29の何れか1項に記載の方法であって、
前記第1の無線ネットワークの無線ネットワークコントローラから前記第2の無線ネットワークの無線ネットワークコントローラへ、下りリンクチャネルの設定要求信号を送信するステップと、
前記第2の無線ネットワークの前記無線ネットワークコントローラから前記第1の無線ネットワークの前記無線ネットワークコントローラへ、下りリンクチャネルの設定確認信号を送信するステップと、
を更に有し、前記第1及び第2の無線ネットワークは、互いに異なる第1及び第2の無線アクセス技術をそれぞれ使用する、方法。
【請求項３２】
前記下りリンクチャネルの設定要求信号が、無線アクセスベアラ経路の設定要求を含み、
前記下りリンクチャネルの設定確認信号が、無線アクセスベアラ経路の設定応答を含む、請求項31に記載の方法。
【請求項３３】
無線端末に1対多サービスを提供するための命令を含むコンピュータ読取可能な媒体であって、前記命令は或る方法をコンピュータに実行させ、該方法は、
第1の無線ネットワークを介してサービス登録要求を受信するステップと、
前記第1の無線ネットワークを介してサービス鍵を送信するステップと、
前記第1の無線ネットワークを介して1対多サービスの配信要求を受信するステップと、
第2の無線ネットワークを介して１対多サービスを送信するステップと
を有する、コンピュータ読取可能な媒体。
【請求項３４】
前記第1の無線ネットワークがW-CDMAにおけるFDDネットワークであり、前記第2の無線ネットワークがTD-CDMA方式の下りリンク専用のネットワークである、請求項33記載の媒体。
【請求項３５】
前記第1の無線ネットワークがW-CDMAにおけるFDDネットワークであり、前記第2の無線ネットワークがW-CDMA方式の下りリンク専用のネットワークである、請求項33記載の媒体。
【請求項３６】
前記第1の無線ネットワークがTD-CDMAにおけるTDDネットワークであり、前記第2の無線ネットワークがTD-CDMA方式の下りリンク専用のネットワークである、請求項33記載の媒体。
【請求項３７】
前記1対多サービスが、ブロードキャスト／マルチキャスト送信を行う、請求項33乃至36の何れか1項に記載の媒体。
【請求項３８】
請求項33乃至37の何れか1項に記載の媒体であって、前記方法は、
前記第1の無線ネットワークの無線ネットワークコントローラから前記第2の無線ネットワークの無線ネットワークコントローラへ、下りリンクチャネルの設定要求信号を送信するステップと、
前記第2の無線ネットワークの前記無線ネットワークコントローラから前記第1の無線ネットワークの前記無線ネットワークコントローラへ、下りリンクチャネルの設定確認信号を送信するステップと、
を更に有し、前記第1及び第2の無線ネットワークは、互いに異なる第1及び第2の無線アクセス技術をそれぞれ使用する、媒体。
【請求項３９】
前記下りリンクチャネルの設定要求信号が、無線アクセスベアラ経路の設定要求を含み、
前記下りリンクチャネルの設定確認信号が、無線アクセスベアラ経路の設定応答を含む、請求項38に記載の媒体。
【請求項４０】
第1及び第2の無線ネットワークの第1及び第2の無線ネットワークコントローラを結合するインターフェースであって、
前記第1及び第2の無線ネットワークは、互いに異なる第1及び第2の無線アクセス技術をそれぞれ使用し、
当該インターフェースは、前記第1の無線ネットワークコントローラから前記第2の無線ネットワークコントローラへ、下りリンクチャネルの設定要求信号を送信し、及び
前記第2の無線ネットワークコントローラから前記第1の無線ネットワークコントローラへ、下りリンクチャネルの設定確認信号を送信する、インターフェース。
【請求項４１】
前記第1の無線アクセス技術がW-CDMA方式を使用し、前記第2の無線アクセス技術がTD-CDMA方式を使用する、請求項40記載のインターフェース。
【請求項４２】
前記下りリンクチャネルの設定要求信号が、無線アクセスベアラ経路の設定要求を含み、
前記下りリンクチャネルの設定確認信号が、無線アクセスベアラ経路の設定応答を含む、請求項41に記載のインターフェース。
【請求項４３】
前記無線アクセスベアラ経路の設定要求が、1対多サービス用の下りリンクTD-CDMAチャネルに対するものである、請求項42記載のインターフェース。
【請求項４４】
当該インターフェースが、Iurインターフェースを含む、請求項41記載のインターフェース。
【請求項４５】
当該インターフェースは、前記第2の無線ネットワークコントローラから前記第1の無線ネットワークコントローラへの、1対多サービスのハンドオーバを実行する、請求項40記載のインターフェース。
【発明の詳細な説明】
【技術分野】
【０００１】
本発明は、ブロードキャスト及びマルチキャストトラフィックを配信する方法及び装置に関連する。
【背景技術】
【０００２】
世界の移動通信オペレータは、彼らの既存の3Gユニバーサル移動通信システム(UMTS)ネットワークでリアルタイムのストリーミングサービス(例えば、モバイルTVやラジオ)を開始している。しかしながら、既存のUMTSエアインターフェース及び全体的なネットワークアーキテクチャは、多数のユーザに対するテレビジョン等のような、多くの帯域幅を要する高品質なマルチメディアコンテンツを配信するには最適ではない。このため、3GPP標準規格団体は、UTRAN及びコアネットワークにおける最適化を取り扱い、UMTSエアインターフェース及びコアネットワークにおいてブロードキャスト形のアプリケーションを配備できるようにしている。
【０００３】
3GPP標準仕様のファミリの中でUMTSシステムアーキテクチャに対する拡張フレームワークは、マルチメディアマルチキャスト／ブロードキャストサービス(MBMS)と呼ばれる。MBMSフレームワークは、UMTS無線アクセスネットワーク(RAN)で必要な修正事項を確認し、一群の3GPP標準仕様(例えば、非特許文献1,2,4,8参照)の中でセキュリティ及び課金等のようなサービス形態を記述する。3GPP2は、ブロードキャストマルチメディアサービス(BCMCS:  Broadcast  Multimedia  Service)と呼ばれる標準仕様群を規定した。
【０００４】
MBMS/BCMCSは、3GPP2標準仕様のファミリの中でエンドトゥエンドの形式で1対多のサービスアーキテクチャを規定し、3Gオペレータがブロードキャスト／マルチキャストサービスを展開することを可能にする。例えば、(モバイルTVに)関連する3GPP2のMBMS/BCMCS標準仕様と共に既存のネットワークをアップグレードすることで、割り当てられたスペクトルにおいて、モバイルTVを展開することができる。
【０００５】
MBMS/BCMCSマルチメディアストリーミングトラフィック及び関連するアップリンク／ダウンリンクシグナリングは、通常、同じ周波数で同じネットワークから送信される。MBMSは多数のユーザを賄うよう意図されているので、その経路に沿って、非常に多くのブロードキャスト／マルチキャストトラフィック及び多数の処理ノードは、既存のコアネットワーク及びUMTSネットワークUTRA要素に負担を強いることになる。例えば、コアネットワークモビリディアンカ(例えば、3GPP−UMTSのSGSN)及び無線ネットワークコントローラ(例えば、3GPP−UMTSのRNC)は、個々のパケット及び回路交換アプリケーションにより生成された「通常」の1対1トラフィックを処理して転送しなければならない。従って、ネットワークにかかる負担を減らす方法が望まれる。  
【先行技術文献】
【非特許文献】
【０００６】
【非特許文献１】3GPP  TS  23.246,  “Multimedia/Broadcast  Multicast  Service(MBMS)  User  Services;  Stage  1”,  Release  6
【非特許文献２】3GPP  TS  26.346,  “Multimedia/Broadcast  Multicast  Service(MBMS);  Protoclos  and  codescs”,  Release  6
【非特許文献３】3GPP  TR  29.846,  “Multimedia/Broadcast  Multicast  Service(MBMS);  CN1  procedure”,  Release  6
【非特許文献４】3GPP  TS33.246,  “Security  of  Multimedia  Broadcast/Multicast  Service”,  Release  6
【非特許文献５】3GPP  TS  25.346,    “Introduction  of  the  Multimedia/Broadcast  Multicast  Service(MBMS)  in  the  Radio  Access  Network(RAN);  Stage  2”,  Release  6
【非特許文献６】Internet  Group  Management  Protocol,  IGMPv2,  http://www.ietf.org/rfc/rfc2236.txt
【非特許文献７】“Multicast  Listener  Discovery  (MLD)  for  IPv6”,  http://www.ietf.org/rfc/rfc2710.txt
【非特許文献８】3GPP  TS32.240,  “Charging  management;  Charging  architecture  and  principles”,  Release  6
【非特許文献９】3GPP  TS24.008,  “Mobile  radio  interface  Layer  3  specification;  Core  network  protocols;  Stage  3”,  Release  6
【非特許文献１０】3GPP  TS  29.060,  “General  Packet  Radio  Service(GPRS);  GPRS  Tunneling  Protocol(GTP)  across  the  Gn  and  Gp  interface”,  Release  6
【非特許文献１１】3GPP  TS25.331,  “Radio  Resource  Control  (RRC);  Protocol  specification”,  Release  6
【非特許文献１２】3GPP  TS23.809,  “One  Tunnel  solution  for  Optimisation  of  Packet  Data  Traffic”,  Release  6
【非特許文献１３】3GPP  TR23.837,  “Feasibility  study  for  transport  and  control  separation  in  the  PS  CN  domain”,  Release  4
【非特許文献１４】3GPP  TS  23.060,  “Technical  Specification  Group  Services  and  System  Aspects,  General  Packet  Radio  Service(GPRS)  Service  Description”,  Sage  2,  v6.13.0,  2006-06
【発明の概要】
【発明が解決しようとする課題】
【０００７】
本発明の課題は、上記のネットワークにかかる負担を減らすことである。
【課題を解決するための手段】
【０００８】
本発明の一形態は、MBMSトラフィックの制御及びユーザプレーンを、2つの異なる無線アクセス技術(RATに関する3GPPPファミリに該当するもの)及びそれらの等価的なコアネットワークトランスポートパスにおいて分離することで(「1トンネル」アプローチ)、MBMSを処理する無線アクセス及びコアネットワークにおける上記の問題を軽減する方法及び装置を提供する。
【図面の簡単な説明】
【０００９】
【図１】マルチメディアマルチキャスト／ブロードキャストサービス(MBMS)機能を備えたネットワークの論理アーキテクチャ例を示す図。
【図２】ダイレクトユーザプレーントンネルを設定し、トラフィックをマルチキャスト配信するためのシグナリングフローの一例を示す図。
【図３】マルチメディアマルチキャスト／ブロードキャストサービス(MBMS)機能を備えたUMTSネットワーク例を示す図。
【図４】MBMSマルチキャスト配信モードのシグナリングプロシジャに関するシグナリングフローを示す図であり、「1トンネル」法が使用され、ダウンリンクのみTD-CDMA無線インターフェースが使用される。
【図５】ダイレクトユーザプレーンと共にRANでMBMSを準備する状況でなされる詳細なステップ例を示す図。
【図６】様々な実施例の機能を実行するコンピュータシステム例を示す図。
【発明を実施するための形態】
【００１０】
マルチメディアサービスに関して負担の重い状況は、マルチメディアのブロードキャストに関するトラフィックを(或るRATで規定される)第1無線ネットワークで伝送し、関連する制御情報を(実質的に異なるRATで規定される)第2無線ネットワークで伝送することで改善される。2つのネットワークは、実質的に異なる周波数帯域で動作してもよい。従って、無線端末は複数のネットワークから発する複数の信号を受信する。
【００１１】
モバイルオペレータは、ペアの及びペアでないスペクトルの双方を有する。ペアでないスペクトル(unpaired  spectrum)の場合、移動無線技術は、時分割複信(TDD)方式を使用するかもしれない。ペアのスペクトル(paired  spectrum)の場合、移動無線技術は、周波数分割複信(FDD)方式を使用するかもしれない。マルチキャストトラフィックは、非常に、非対称的(asymmetric)である。マルチキャストトラフィックは、ペアでないスペクトルに適切に合わせられており、アップリンクトラフィックに対するダウンリンクトラフィックの比率は、トラフィックの需要を反映するように調整される。更に、その比率は、ペアでないスペクトル全体がダウンリンクに専念するように調整されてもよい。このように、利用可能な帯域を最大限活用することが達成可能である。この場合、ペアでないスペクトルにリターンチャネルはもはや存在せず、ユーザは、リターンチャネルを提供するペアのスペクトルを当てにする。
【００１２】
特に、本発明の一形態は、複数のアクセス及びコアネットワークにわたるマルチキャスト／ブロードキャストトラフィックのパス(経路)を、制御プレーン(CP)及びユーザプレーン(UP)のマルチキャスト／ブロードキャストトラフィックに分離する。UPマルチキャスト／ブロードキャストトラフィックは、ダウンリンクで配信される実際のマルチメディアコンテンツである。CPは、UPマルチキャスト／ブロードキャストトラフィックに付随する補足的なトラフィックである。UP及びCP双方は、ネットワーク固有のシグナリングプロシジャ及び「上位レイヤ」のアプリケーション関連のシグナリングに関連し、上位レイヤのアプリケーション関連シグナリングは、マルチキャスト／ブロードキャストユーザサービスに適用される。
【００１３】
第1ネットワーク及び第2ネットワークをホームゲートウェイにより結合することは、ブロードキャスト／マルチキャストサービスセンタからユーザ装置に至る直接的なトンネル伝送を可能にする。ユーザ装置(UE)は、第1ネットワークを介して上りリンク制御信号を送信する。同時に、UEは第1ネットワークを介して下りリンク制御信号を受信する。ユーザ装置及び第1ネットワーク間におけるホームゲートウェイを介した上りリンク及び下りリンクの信号のやり取りに応じて、ブロードキャストマルチメディアサービスは、第2ネットワークを介してユーザ装置で受信される。
【実施例１】
【００１４】
図１は、1対多のサービスセンタ(例えば、MBMSサービスセンタ)の機能を有するネットワークの論理アーキテクチャ例を示す。第1ネットワークはRAT1で規定され、第2ネットワークはRAT2で規定される。各RATは無線コントローラ(例えば、RAT1無線コントローラ106及びRAT2無線コントローラ108)で実現される。無線コントローラ(RC)は、特定のRATについて基地局104を制御する無線アクセスネットワーク(RAN)内の中の制御要素である。RCは、無線リソース管理機能及び移動(モビリティ)管理機能を実行する。ユーザデータが移動機UE102と送受信される際に暗号化が行われてもよいのは、この段階である。
【００１５】
UE102は、RAT1-RC106及びRAT2-RC108に結合されている基地局104を介してRAT1及びRAT2と通信する。UE無線端末102は、第1受信機、第2受信機及び送信機を有する。UE102は、RAT1から及びRAT2から同時に信号を受信してもよい。すなわち、第1受信機は、別個の周波数帯域で動作する2つの異なるネットワークを介して信号(複数)を受信してもよい。
【００１６】
モビリティアンカ110は、RAN及びコアネットワーク間のゲートウエイである。同一又は異なるRATのRCを介してUE102が移動する際、モビリティアンカリング(mobility  anchoring)が行われる。
【００１７】
ホームゲートウェイ112はルータであり、モバイルネットワーク及びパケットデータネットワーク間のゲートウエイとして機能する。これは、モバイルコアネットワークに出入りするデータトラフィックの出入り口である。MBMSの場合、ホームゲートウェイ112は、IPマルチキャストリクエストを送信し、コアネットワークにおけるIPマルチキャストトラフィックの流れを制御する。
【００１８】
UE102は、RAT1を使用して、必要な制御プレーン(CP)データを伝送する。CPデータは、無線及びコアネットワークシグナリングデータ、サービス登録データ、及びセキュリティ関連シグナリングデータを含み、セキュリティ関連シグナリングデータは、ブロードキャスト／マルチキャストサービスセンタ(BM-SC)からUE102へ必要な解読キーを配信するのに使用される。
【００１９】
BM-SC114はネットワークエンティティであり、加入管理、ユーザ認証、鍵の配布及びマルチメディアコンテンツ配信等の機能を制御する。BM-SC114は、提供及び配信するユーザサービスをブロードキャストする機能を有する。BM-SCは、送信トラフィックをブロードキャストする機能部分(エンティティポイント)として機能し、ブロードキャストするトラフィックのトラスポートベアラの設定を認証及び開始する。BM-SCは、ブロードキャストサービスの配信を予定している旨のサービス通知を配信する。
【００２０】
ホームゲートウェイ112は、制御ノードを介してRAT2-RC108にブロードキャスト／マルチキャストユーザプレーン(UP)トラフィックを直接的に送信し、これにより、モビリティアンカ110を迂回(バイパス)する。
【００２１】
この方法は、ブロードキャストマルチメディアトラフィックの配信に関与するノードから、シグナリング及び処理の負荷を軽減し、配備されたRATの最大限の容量を未使用のまま残す。
【００２２】
2つのRAT間のUEの移動は、RAT1-RC106及びRAT2-RC108間のインターフェース116を介してサポートされる。RAT1のカバレッジはRAT2のカバレッジより大きくてもよい。UE102がもはやRAT2のカバレッジ領域に在圏しない場合、UE102、RAT1-RC106及びRAT2-RC108間で通信されるメッセージを利用して、マルチメディア伝送をハンドオーバするリクエストがRAT1に対してなされる。ハンドオーバメッセージは既知の通常のハンドオーバメッセージ(これについては、例えば、非特許文献14参照。)と同様であるが、本実施例では修正されたハンドオーバパラメータが含まれる。UE102は、RAT2によるサービスに損失(ロス)が有ることをRAT1-RC106に通知する。メッセージは原因値のような付加的なパラメータ及びMBMSサービスID(又は、1つより多いサービスが有効な場合、MBMSサービスID)を含み、そのパラメータは、RAT2によるMBMS受信のロスに起因してハンドオーバが開始されることを示す。RAT1-RC106は、(2つのRC間のインターフェース116を介して)RAT2-RC108と連絡をとり、UE102に提供されている特定のサービスのサービスコンテキストを取得する。RAT1-RC106でサービスコンテキストを設定した後、RAT1-RC106は無線チャネル設定情報をUE102に送信し、RAT1を介するサービス配信を可能にする。
【００２３】
図２は、ダイレクトユーザプレーントンネルを設定し、トラフィックをマルチキャスト配信するために、モバイルネットワーク要素間で行われるシグナリングフローの一例を示す。以下のプロセスは、UE102による１対1パケットパイプの設定に続く。ステップ1-4における要素間のメッセージは、「アプリケーションレイヤ」シグナリングメッセージである。
【００２４】
ステップ1では、BM-SC114から送信されたサービスアナウンスメントメッセージを、UE102が受信する。サービスアナウンスメントメッセージは、ブロードキャスト／マルチキャストサービスの詳細を示す。
【００２５】
ステップ2では、UE102は、第1無線ネットワーク(RAT1)を介してBM-SC114にシグナリングメッセージを通知し、サービス登録要求を行う。
【００２６】
ステップ3では、UE102は、要求するシグナリングメッセージにより、BM-SC114と通信を行い、RAT1を介して必要なセキュリティキーを受信する。セキュリティキーは、受信したコンテンツを解読するのに必要である。
【００２７】
ステップ4では、UE102は、マルチキャストサービスに参加(ジョイン)するため、シグナリングメッセージを通知する。メッセージは、ホームゲートウェイ(HGW)112により取得される。
【００２８】
ステップ5では、ホームゲートウェイ112は、UE102のマルチメディアサービスへのアクセスを許可するための認証をBM-SC114に要求し、認証結果を受信する。
【００２９】
ステップ6において、ホームゲートウェイ112では、受け入れられた認証結果がBM-SC114から受信され、ホームゲートウェイ112は、RAT2を介する１対多パケットパイプ202と呼ばれる１対多マルチポイントプログラムを受信及び設定する処理を進める。
【００３０】
ステップ7では、1対多パイプ202がステップ6で設定された後、ホームゲートウェイ112は、１対多パイプ202の終点を更新し、ユーザプレーントラフィックの経路にて、RAT1移動アンカ(MA)110を迂回する。1対多パケットパイプ202と呼ばれる1対多サービスは、マルチキャストマルチメディアトラフィックを第2ネットワークを介して伝送し、RAT2-RC108で終端する。
【００３１】
RAT2による１対多パケットパイプ202の設定後、マルチキャストマルチメディアトラフィックは、ホームゲートウェイ112からRAT2-RC108へ直接的に伝送される。マルチキャストマルチメディアトラフィックは、RAT2-RC108からUE102に伝送される。
【００３２】
上記の例は、リリース6の3GPPネットワークアーキテクチャでいつかの改訂と共に実現可能である。例えば、2つの異なるRATを利用し、W-CDMA無線ネットワークコントローラが、MBMSシグナリング情報を伝送するのに使用されてもよい。W-CDMAはFDD方式である。同時に、TD-CDMA-RNCがダウンリンクモードだけに使用され、MBMSマルチメディアトラフィックを伝送してもよい。TD-CDMAはTDD方式である。別の例では、2つのRATはW-CDMAのRNCでもよい。別の例では、2つのRATはTD-CDMAのRNCでもよい。
【００３３】
図３は、UMTS技術を使用する例を示す。UE302は、第1ネットワークを規定するW-CDMA無線ネットワークコントローラ(RNC)306、及び第2ネットワークを規定するTD-CDMA-RNC308とノードB304を介して通信する。第1ネットワークは、上りリンク及び下りリンク制御信号をUE302に通知する。第2ネットワークは、第1ネットワーク及びUE302間の上りリンク及び下りリンク制御信号に応じて、1対多信号をUE302に送信する(ノードB304は、UMTSセルラシステムの基地局である。)。
【００３４】
UMTSコアネットワーク(W-CDMA)のモビリティアンカは、SGSN310である。インターフェースIu-PS320は、W-CDMA-RNC306とSGSN310とを結合する。
【００３５】
UMTSコアネットワークのホームゲートウェイは、GGSN312である。GGSN312は、1対多サービスセンタであるBM-SC314を、第1及び第2無線ネットワークに結合する。
【００３６】
インターフェースGnは、SGSN310及びGGSN312をコアネットワークノードに結合する。GnはGn-C324及びGn-U326に分けられる:Gn-C324は、制御プレーンメッセージの伝送を示し、例えば、ユーザプレーントンネル設定及びモビリティメッセージ等の伝送である:Gn-U326は、ユーザプレーントラフィックの伝送を示す。従来は、Gnインターフェース(Gn-C324及びGn-U326)は、同じノード(例えば、同じRNC及びSSGN)に接続している。しかしながら本実施例では、Gn-C324はW-CDMA-RNC306で終端し、この点、TD-CDMA-RNC308で終端するGn-U326と異なる。
【００３７】
GGSN312及びBM-SC114の間に2つのインターフェースが存在する。Gmb328はMBMS固有のインターフェースである。このインターフェースは、GGSN312及びBM-SC114の間でシグナリングメッセージをやり取りする際に使用される。シグナリングメッセージ交換は、ユーザ固有のシグナリング(例えば、ユーザ固有の課金メッセージ)及びMBMS固有のシグナリング(例えば、BM-SCにおけるGGSN登録)のメッセージを含んでよい。Giインターフェース330は、GGSN312及び外部の公のパケットデータネットワークの間に設けられている。本発明の一実施例では、Gi330はBM-SC314及びGGSN312を接続する。Gi330は、MBMSユーザサービスを受信するように指定されたGGSN312へ、UPマルチメディアトラフィックを送信する。
【００３８】
インターフェースIur316は、2つのRNCの間にある。一例として、Iur316は、同じRATの2つのRNC(例えば、W-CDMA又はTD-CDMA)を接続してもよい。本発明の多の実施例では、Iur316は、例えば、W-CDMA-RNC及びTD-CDMA-RNCのような異なるRATの2つのRNCを接続してもよい。Iur316は、下りリンクチャネル設定要求を第1RNCから第2RNCに伝送し、ダウンリンクチャネル確認信号(アクノリッジメント)を第2RNCから第1RNCに伝送してもよい。RNC間の特定のシグナリングのやり取りの例が、図4及び図5のシグナリングフローに示されている。
【００３９】
一実施例のMBMSサービスが、非特許文献1で規定されているようなブロードキャスト配信を使用する場合、UE302はW-CDMA-RNC306を用いて、サービス登録を実行し、BM-SC114と共に認証を行い、非特許文献4で規定されているような必要な暗号キーを取得し、サービスアナウンスメントを受信する。次に、UE302は、UMTS-TD-CDMAエアインターフェースを介して伝送される適切なMBMSトラフィックチャネル(MTCH)に「同調」するのに必要な手順を実行し、MBMSマルチメディアトラフィックを受信し、過去に受信済みの鍵(キー)を使ってトラフィックを解読する。
【００４０】
しかしながら、特定のサービスユーザがマルチキャストデリバリモードを使用する場合、UEは、非特許文献1,4,5に記載されているマルチキャストデリバリモードのシグナリングプロシジャを、図4に詳細に説明されている修正と共に実行する。
【００４１】
図４は、ある場合に実行されるシグナリングメッセージフローの一例を示し、そのフローは、MBMSマルチキャストデリバリモードのシグナリングプロシジャが、「1トンネル(one  tunnel)」法を使用し且つダウンリンクのみTD-CDMA無線インターフェースを使用する場合に実行される。
【００４２】
ステップ1-4において、現在のMBMSシグナリングプロシジャが、3GPP標準仕様(非特許文献1)で規定されているように適用され、非特許文献4，2で規定されているメッセージが使用され、W-CDMAベアラについてデフォルトデータパケットプロトコル(PDP)コンテキストが使用される。
【００４３】
ステップ1において、UE302及びBM-SC314の間で伝送されるサービスアナウンスメントメッセージは、MBMSトラフィックの伝送がTD-CDMAネットワークで行われることを示す。
【００４４】
ステップ2において、サービス登録要求メッセージが、BM-SC314及びUE302の間で伝送される。
【００４５】
ステップ3は、UE802及びBM-SC314の間で変調要求メッセージを伝送する。
【００４６】
ステップ4において、UE302はBM-SC314にメッセージを通知し、そのメッセージは、特定のアドレスグループ宛のメッセージをUEが受信することを希望していることを示す。
【００４７】
ステップ5-9では、現在のMBMSシグナリングプロシジャが、3GPP標準仕様(非特許文献1)で規定されているように適用され、非特許文献9,10,11で規定されているメッセージが使用される。
【００４８】
ステップ5，6に関し、BM-SC314及びGGSN312間でのシグナリングメッセージは、GGSN312からのサービス認証リクエスト、及びBM-SC314からのサービス認証応答から構成される(AAリクエスト／応答)。
【００４９】
ステップ7では、認証応答を受信した後、GGSN312は、MBMS通知リクエストメッセージをSGSN310に送信する。ステップ8では、SGSN310が「MBMSコンテキスト活性化要求(Request  MBMS  Context  Activation)」メッセージをUE302に通知する。ステップ9において、UE302は「MBMSコンテキストリクエスト活性化(Activate  MBMS  Context  Request)」メッセージをSGSN310に通知する。
【００５０】
非特許文献12,13に記載されている「1トンネル法」は、IuベアラがRANに未だ割り当てられていないので、そのトラフィック経路について予約された「未割当の」値を示す。
【００５１】
ステップ10では、「MBMSコンテンツリクエスト生成」メッセージが、SGSN310からGGSN312へ送信される。
【００５２】
ステップ11-13に関し、現在のMBMSシグナリングプロシジャが、3GPP標準仕様(非特許文献1)で規定されているように適用され、非特許文献9,10で規定されているメッセージが使用される。
【００５３】
ステップ11，12に関し、BM-SC314及びGGSN312間のシグナリングメッセージは、GGSN312からのサービス認証リクエスト、及びBM-SC314からのサービス認証応答(AAリクエスト／応答)を含む。
【００５４】
ステップ13では、「MBMSコンテキスト応答生成(Create  MBMS  Context  Response)」メッセージが、GGSN312からSGSN310へ送信される。
【００５５】
ステップ14では、W-CDMA-RNC306及びTD-CDMA-RNC308でシグナリング情報を交換し、ダウンリンクチャネル設定要求により、Iu-PSインターフェース320及びIurインターフェース316でCP及びUPの経路を分離することで、SGSN310は、そのMBMSコンテキストに関してRANの中で適切なリソースを割り当てる。
【００５６】
図５は、図4のステップ14に関し、無線アクセスネットワークでMBMSコンテキストを用意する詳細な説明図である。
【００５７】
ステップ14aにおいて、無線アクセスベアラ(RAB)経路設定要求が、W-CDMA-RNC306へ、SGSN310から送信される。このリクエストは、GGSN312のトンネルエンドポイントID(TEID)、及びGGSN312のアドレスを含む。
【００５８】
ステップ14bでは、W-CDMA-RNC306が、GGSN312のTEID及びアドレスを、対応するTD-CDMA-RNC308へ「Iur的な(Iur-like)」インターフェースを介して通知する。また、TD-CDMA-RNC308は、「無線アクセスベアラパス設定要求」により、TD-CDMAネットワークを介するRAB設定の要求を受ける。
【００５９】
ステップ14cでは、TD-CDMA-RNC308は、RAB設定用のリソースを確保し、「無線アクセスベアラパス設定応答」メッセージにより、そのRABに関するTD-CDMA-RNC308におけるトンネルエンドポイントID(TEID)とTD-CDMA-RNC308のアドレスとを通知する。
【００６０】
ステップ14dにおいて、TD-CDMA-RNC308のTEID及びTD-CDMA-RNC308のアドレスに関する情報は、「無線アクセスベアラパス設定応答」メッセージにより、W-CDMA-RNC306からSGSN310に伝送される。
【００６１】
ステップ15では、現在のMBMSシグナリングプロシジャが、3GPP標準仕様(非特許文献1)で規定されているように適用され、非特許文献9,10,11で規定されているメッセージが使用される。SGSN310は、「MBMSコンテキスト更新(Update  MBMS  Context)」メッセージをGGSN312に通知する。
【００６２】
ステップ16では、MBMSコンテキストがRANで準備された後、SGSN310は、「MBMSコンテキスト更新受入(Update  MBMS  Context  Accept)」シグナリングメッセージをGGSN312から受信し、TD-CDMA-RNC308と共のRANアドレス及びTEIDをGGSN312に示すMBMSコンテキストを更新する。
【００６３】
GGSN312は、MBMSコンテキストを更新し、「更新MBMSコンテキスト応答」メッセージを返す。ステップ17では、GGSN312及びTD-CDMA-RNC308間のトンネルが設定される。
【００６４】
本発明の一実施例では、3GPPで規定されている「1トンネル」法に従って、GGSN312はMBMSユーザプレーントラフィックをTD-CDMA-RNC308に直接的に送信する。この例における本方法は、MBMSサービスアナウンスメントフォーマットの要素を使用するMBMS伝送法を含む。
【００６５】
本発明は特定の実施例及び図面の観点から説明されてきたが、当業者は、説明された実施例や図面に本発明が限定されないことを認識するであろう。本発明の実施例は、場合によってはUMTSの用語を使って説明されたが、当業者は、そのような用語が本願では一般的な意味で使用されていること、及び本発明はそのようなシステムに限定されないことを認識するであろう。
【００６６】
様々な実施例の処理が、ハードウエア、ソフトウエア、ファームウエア又はそれらの何らかの組み合わせにより適切に実現されてもよいことを、当業者は認識するであろう。例えば、あるプロセスは、ソフトウエア、ファームウエア又は配線された論理装置の制御の下で、プロセッサ又は他のディジタル回路を用いて実行されてもよい。(本願における「論理装置(logic)」なる用語は、一定のハードウエア、プログラム可能な論理装置、及び／又はそれらの適切な組み合わせであって、説明された機能を実行するように当業者により認識されるものを指す。)  ソフトウエア及びファームウエアは、コンピュータ読取可能な媒体に格納可能である。当該技術分野で通常の知識を有する者に良く知られているようなアナログ回路で、他のプロセスが実現されてもよい。更に、通信要素だけでなくメモリ又は他のストレージも本発明の実施例で使用されてもよい。
【００６７】
図６は、本発明の実施例による処理機能を実現するのに使用される一般的なコンピュータシステム600を示す。この種のコンピュータシステムは、例えば、BM-SC、無線コントローラ、基地局及びUE等に使用されてよい。当業者は、他のコンピュータシステムやアーキテクチャを使って本発明を如何にして実現するかを認識するであろう。コンピュータシステム600は、所与のアプリケーション又は環境に望まれるような又は相応しい、例えば、デスクトップ、ラップトップ、ノートブックコンピュータ、携帯コンピュータ装置(PDA,セルラ電話,パームトップ等)、メインフレーム、サーバ、クライアント等でもよく、或いは特定の又は汎用の適切な他の如何なるタイプのコンピュータ装置でもよい。コンピュータ装置600は、プロセッサ604のような1つ以上のプロセッサを含んでもよい。プロセッサ604は、例えば、マイクロプロセッサ、マイクロコントローラ又は他の制御論理装置のような汎用の又は特定用途の処理エンジンを使って実現可能である。図示の例では、プロセッサ604はバス602又は他の通信媒体に接続されている。
【００６８】
コンピュータシステム600は、ランダムアクセスメモリ(RAM)又は他のダイナミックメモリのようなメインメモリ608を含むことが可能であり、メインメモリは、プロセッサ604で実行される命令や情報を格納する。メインメモリ608は、プロセッサ604により実行される命令の実行中に、一時的な変数や他の中間的な情報を格納するのに使用されてもよい。コンピュータシステム600は、同様に、バス602に結合された読み取り専用メモリ(ROM)又は他のスタティックストレージ装置を含むことができ、その装置等は、プロセッサ604用の静的な情報及び命令を格納する。
【００６９】
コンピュータシステム600は、情報ストレージシステム610を含み、情報ストレージシステムは、例えば、メディアドライブ612及び着脱可能なストレージインターフェース620を含んでもよい。メディアドライブ612は、固定された又は着脱可能なストレージ媒体を支持するドライブ又は他の手段を含み、そのドライブ等は、ハードディスクドライブ、フロッピディスクドライブ、磁気テープドライブ、光ディスクドライブ、CD若しくはDVDドライブ(R又はRW)でもよく、或いは着脱可能な他のメディアドライブや固定式のメディアドライブ等でもよい。ストレージ媒体618は、例えば、ハードディスク、フロッピディスク、磁気テープ、光ディスク、CD若しくはDVD、又は他の固定式の若しくは着脱可能な媒体を含んでもよく、その媒体は、メディアドライブ614により読み書き可能である。これらの例が示すように、ストレージ媒体618は、そこに特定のコンピュータソフトウエア又はデータを格納するコンピュータ読取可能な記憶媒体を含んでよい。
【００７０】
代替実施例では、情報ストレージシステム610は、コンピュータプログラム又は他の命令やデータが、コンピュータシステム600にロードできるようにする他の要素を含んでもよい。そのような要素は、例えば、着脱可能なストレージ装置622及びインターフェース620を含み、例えば、プログラムカートリッジ及びカートリッジインターフェース、着脱可能なメモリ(例えば、フラッシュメモリ又は他の着脱可能なメモリモジュール)、メモリスロット、その他の着脱可能なストレージ装置622及びインターフェース620等であり、着脱可能なストレージ装置618からコンピュータシステム600へソフトウエア及びデータを転送可能にするものである。
【００７１】
コンピュータシステム600は、通信インターフェース624を含むこともできる。通信インターフェース624は、通信システム及び外部装置の間で、ソフトウエア及びデータを転送できるようにするために使用可能である。通信インターフェース624の具体例は、モデム、ネットワークインターフェース(例えば、イーサーネット(登録商標)又は他のNICカード)、通信ポート(例えば、USBポート)、PCMCIAスロット及びカード等を含んでもよい。通信媒体624を介して伝送されるソフトウエア及びデータは、ある信号の形式をとり、その信号は、電子的な、電磁的な、光学的な又は他の信号であって通信インターフェース624により受信可能な信号である。これらの信号はチャネル628を介して通信インターフェース624に提供される。このチャネル628は、信号を伝搬し、無線媒体、有線若しくはケーブル、光ファイバ、又は他の通信媒体を用いて実現されてもよい。いくつかのチャネルの具体例は、電話回線、セルラ電話リンク、RFリンク、ネットワークインターフェース、ローカル又はワイドエリアネットワーク、及び他の通信チャネルである。
【００７２】
本願では、「コンピュータプログラム製品」、「コンピュータ読取可能な記憶媒体」等の用語は、例えば、メモリ608、ストレージデバイス618又はストレージユニット622等の媒体を一般的に指すように使用される。これら及び他の形態のコンピュータ読取可能な媒体は、プロセッサ604により使用され且つプロセッサが特定の処理を行うことを引き起こす1つ以上の命令を格納してもよい。そのような命令は、一般に「コンピュータプログラムコード」(コンピュータプログラムの形式でグループ化されていてもよい又は他のグループ化がなされていてもよい)と言及され、実行された場合に、コンピュータシステム600が、本発明の実施例による機能を実行することを引き起こす。そのコードは、プロセッサが特定の処理を実行すること、そのように動作するようにコンパイルされることを直接的に引き起こしてもよいし、及び／又はそのように動作するように、他のソフトウエア、ハードウエア及び／又はファームウエア要素(例えば、標準的な機能を実行するライブラリ)と組み合わされてもよいことに、留意を要する。
【００７３】
要素がソフトウエアで実現される例の場合、ソフトウエアは、コンピュータ読取可能な媒体に格納され、例えば取り外し可能なストレージドライブ614、ドライブ612又は通信インターフェース624を用いて、コンピュータシステム600にロードされてもよい。制御論理装置(この場合、ソフトウエア命令又はコンピュータプログラムコード)は、プロセッサ604により実行された場合、プロセッサ604が、本願で説明した本発明の機能を実行することを引き起こす。
【００７４】
上記の記述は、簡明化のため、様々な機能ユニット及びプロセッサを参照しながら本発明の実施例を説明してきたことが、理解されるであろう。しかしながら、本発明から逸脱せずに、様々な機能ユニット、プロセッサ又はドメインの中で適切な如何なる機能分散が行われてもよいことは、明らかであろう。例えば、個々のプロセッサやコントローラで実行されるように図示されている機能が、同じプロセッサやコントローラで実行されてもよい。従って、特定の機能ユニットを指すリファレンスは、厳密な論理的又は物理的な構造や組織を表すものではなく、本願で説明された機能をもたらす適切な手段を表すにすぎないものとして理解されるべきである。
【００７５】
本発明はいくつかの実施例に関連して説明されてきたが、説明された特定の実施例に限定されることは意図されていない。そうではなく本発明の範囲は特許請求の範囲によってのみ規定される。更に、特定の実施例に関して或る特徴が説明されたが、当業者は、説明された実施例の様々な特徴が、本発明で組み合わされてもよいことを認識するであろう。
【００７６】
更に、複数の手段、要素又は方法ステップが個々に列挙されているが、それらは例えば1つのユニット又はプロセッサで実現されてもよい。更に、様々な請求項に個々の特徴が含まれているが、これらは、有利に結合される可能性があり、異なる請求項に含まれているということが、特徴の組み合わせは不可能であること及び／又は有利でないことを示唆するわけではない。また、或る特徴が或るカテゴリの請求項に含まれることは、そのカテゴリに対する限定を意味するわけではなく、むしろ、その特徴は適切ならば他のカテゴリの請求項にも等しく適用可能であるかもしれない。
【００７７】
先行技術文献の特許、出願、公開公報及び他の刊行物の全体は本願のリファレンスに組み入れられる。
【図１】
2010500800.tif 000003
【図２】
2010500800.tif 000004
【図３】
2010500800.tif 000005
【図４】
2010500800.tif 000006
【図５】
2010500800.tif 000007
【図６】
2010500800.tif 000008
【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
第1及び第2のネットワーク要素に1対多のサービスセンタを動作可能に結合するホームゲートウェイであって、該第1及び第2のネットワーク要素は、第1及び第2の無線アクセス技術を用いて、前記第1及び第2の無線ネットワークにおいて無線端末と通信を行い、
前記第1の無線ネットワークは、前記無線端末及び当該ホームゲートウェイの間で或る中間的なネットワーク要素を介して、上りリンク及び下りリンク制御信号を伝送し、
前記第1のネットワーク要素及び前記無線端末間で上りリンク及び下りリンク制御信号がやり取りされたことに応じて、前記中間的なネットワーク要素を迂回することで、前記第2の無線ネットワークを介して1対多の信号を前記無線端末に配信する論理装置を有する、ホームゲートウェイ。
【請求項２】
前記1対多のサービスセンタが、ブロードキャスト／マルチキャストサービスセンタであり、
前記1対多の信号が、ブロードキャスト／マルチキャストサービスである、請求項1記載のホームゲートウェイ。
【請求項３】
前記第1のネットワーク要素及び当該ホームゲートウェイ間の中間的なネットワーク要素が、モビリティアンカである、請求項1又は2に記載のホームゲートウェイ。
【請求項４】
前記第2の無線ネットワークの前記第2のネットワーク要素が、当該ホームゲートウェイに直接的に接続される、請求項1乃至3の何れか1項に記載のホームゲートウェイ。
【請求項５】
或る無線アクセス技術を利用して1対多のサービスセンタから無線端末へ無線ネットワークを介して1対多信号を配信するネットワーク要素であって、前記無線端末は、別のネットワーク上の中間的なネットワーク要素及び別のネットワーク要素を介して、上りリンク及び下りリンク制御信号を用いて、1対多サービスのリクエストをホームゲートウェイに通知し、当該ネットワーク要素は、
前記第1のネットワーク要素及び前記無線端末間で上りリンク及び下りリンク制御信号のやり取りに応じて前記無線端末に送信するため、前記中間的なネットワーク要素を迂回して、前記ホームゲートウェイから1対多信号を受信する受信部を有する、ネットワーク要素。
【請求項６】
無線端末において1対多サービスを受信する方法であって、
第1の無線ネットワーク要素及び中間的なネットワーク要素を介して、第1の無線ネットワークにおいて、第1の無線アクセス技術を利用してサービス登録要求を送信するステップと、
前記第1の無線ネットワークにおいて、前記第1の無線ネットワーク要素を介してサービス鍵を受信するステップと、
前記第1の無線ネットワーク及び前記中間的なネットワーク要素を介して1対多サービスの配信要求を送信するステップと、
前記中間的なネットワーク要素を迂回し、前記サービス鍵を利用して、第2の無線ネットワークにおいて第2の無線アクセス技術により、第2の無線ネットワーク要素を介して１対多サービスを受信するステップと
を有する方法。
【請求項７】
前記第1の無線ネットワークがワイドバンド符号分割多重アクセス(W-CDMA)における周波数分割複信(FDD)ネットワークであり、前記第2の無線ネットワークが時分割複信符号分割多重アクセス(TD-CDMA)方式の下りリンク専用のネットワークである、請求項6記載の方法。
【請求項８】
前記第1の無線ネットワークがワイドバンド符号分割多重アクセス(W-CDMA)におけるFDDネットワークであり、前記第2の無線ネットワークがW-CDMA方式の下りリンク専用のネットワークである、請求項6記載の方法。
【請求項９】
前記第1の無線ネットワークがTD-CDMAにおけるTDDネットワークであり、前記第2の無線ネットワークがTD-CDMA方式の下りリンク専用のネットワークである、請求項6記載の方法。
【請求項１０】
前記1対多サービスが、ブロードキャスト／マルチキャスト送信を行う、請求項6乃至9の何れか1項に記載の方法。
【請求項１１】
無線端末により1対多サービスを受信するための命令を含むコンピュータ読取可能な媒体であって、前記命令は或る方法を前記無線端末に実行させ、該方法は、
第1の無線ネットワーク要素及び中間的なネットワーク要素を介して、第1の無線ネットワークにおいて、第1の無線アクセス技術を利用してサービス登録要求を送信するステップと、
前記第1の無線ネットワークにおいて、前記第1の無線ネットワーク要素を介してサービス鍵を受信するステップと、
前記第1の無線ネットワーク及び前記中間的なネットワーク要素を介して1対多サービスの配信要求を送信するステップと、
前記中間的なネットワーク要素を迂回し、前記サービス鍵を利用して、第2の無線ネットワークにおいて第2の無線アクセス技術により、第2の無線ネットワーク要素を介して１対多サービスを受信するステップと
を有する、コンピュータ読取可能な媒体。
【請求項１２】
無線端末に1対多サービスを提供する方法であって、
第1の無線ネットワーク要素及び中間的なネットワーク要素を介して、第1の無線ネットワークにおいて第1の無線アクセス技術を用いてサービス登録要求を受信するステップと、
前記第1の無線ネットワーク要素を介して、第1の無線ネットワークにおいてサービス鍵を送信するステップと、
前記第1の無線ネットワーク要素及び前記中間的なネットワーク要素を介して1対多サービスの配信要求を受信するステップと、
前記中間的なネットワーク要素を迂回し、前記サービス鍵を利用して、第2の無線ネットワークにおいて第2の無線アクセス技術により、第2の無線ネットワーク要素を介して１対多サービスを送信するステップと
を有する方法。
【請求項１３】
無線端末に1対多サービスを提供するための命令を含むコンピュータ読取可能な媒体であって、前記命令は或る方法をコンピュータに実行させ、該方法は、
第1の無線ネットワーク要素及び中間的なネットワーク要素を介して、第1の無線ネットワークにおいて第1の無線アクセス技術を用いてサービス登録要求を受信するステップと、
前記第1の無線ネットワーク要素を介して、第1の無線ネットワークにおいてサービス鍵を送信するステップと、
前記第1の無線ネットワーク要素及び前記中間的なネットワーク要素を介して1対多サービスの配信要求を受信するステップと、
前記中間的なネットワーク要素を迂回し、前記サービス鍵を利用して、第2の無線ネットワークにおいて第2の無線アクセス技術により、第2の無線ネットワーク要素を介して１対多サービスを送信するステップと
を有する、コンピュータ読取可能な媒体。
【請求項１４】
通信システムでチャネルを設定する方法であって、前記通信システムは、第1及び第2の無線ネットワークにおいて互いに異なる第1及び第2の無線アクセス技術を使用する第1及び第2の無線ネットワークコントローラを有し、当該方法は、前記第1の無線ネットワークコントローラにおいて、
前記第2の無線ネットワークの前記第2の無線ネットワークコントローラへ、ダウンリンクチャネルの設定要求を送信し、及び
前記第2の無線ネットワークの前記第2の無線ネットワークコントローラから、ダウンリンクチャネルの設定応答を受信する、方法。
【請求項１５】
前記下りリンクチャネルの設定要求信号が、無線アクセスベアラ経路の設定要求を含み、
前記下りリンクチャネルの設定確認信号が、無線アクセスベアラ経路の設定応答を含む、請求項14記載の方法。
【請求項１６】
通信システムでチャネルを設定するための命令を含むコンピュータ読取可能な媒体であって、前記通信システムは、第1及び第2の無線ネットワークにおいて互いに異なる第1及び第2の無線アクセス技術を使用する第1及び第2の無線ネットワークコントローラを有し、前記命令は或る方法をコンピュータに実行させ、該方法は、
前記第2の無線ネットワークの前記第2の無線ネットワークコントローラへ、ダウンリンクチャネルの設定要求を送信し、及び
前記第2の無線ネットワークの前記第2の無線ネットワークコントローラから、ダウンリンクチャネルの設定応答を受信する、コンピュータ読取可能な媒体。
【請求項１７】
通信システムでチャネルを設定する第1の無線ネットワークコントローラであって、前記通信システムは、少なくとも1つの第2の無線ネットワークコントローラを含み、前記第1の無線ネットワークコントローラ及び第2の無線ネットワークコントローラは、第1及び第2の無線ネットワークにおいて互いに異なる第1及び第2の無線アクセス技術を使用し、当該第1の無線ネットワークコントローラは、
下りリンクチャネルの設定要求メッセージを生成する論理部と、
前記第2の無線ネットワーク前記第2の無線ネットワークコントローラへ、前記下りリンクのチャネル設定要求メッセージを送信する送信部と、
前記第2の無線ネットワーク前記第2の無線ネットワークコントローラから、前記下りリンクのチャネル設定応答メッセージを受信する送信部と、
前記第2の無線ネットワークコントローラから受信した下りリンクのチャネル設定応答に応じて、通信チャネルを設定するチャネル設定論理部と
を有する第1の無線ネットワークコントローラ。
【請求項１８】
第1及び第2の無線ネットワークコントローラを結合するインターフェースであって、第1及び第2の無線ネットワークコントローラは、第1及び第2の無線ネットワークにおいて互いに異なる第1及び第2の無線アクセス技術を使用し、当該インターフェースは、
前記第1の無線ネットワークコントローラから前記第2の無線ネットワークコントローラへ、下りリンクチャネルの設定要求信号を送信し、及び
前記第2の無線ネットワークコントローラから前記第1の無線ネットワークコントローラへ、下りリンクチャネルの設定確認信号を送信する、インターフェース。
【請求項１９】
前記第1の無線アクセス技術がW-CDMA方式を使用し、前記第2の無線アクセス技術がTD-CDMA方式を使用し、
前記下りリンクチャネルの設定要求信号が、無線アクセスベアラ経路の設定要求を含み、
前記下りリンクチャネルの設定確認信号が、無線アクセスベアラ経路の設定応答を含む、請求項18に記載のインターフェース。
【請求項２０】
前記無線アクセスベアラ経路の設定要求が、1対多サービス用の下りリンクTD-CDMAチャネルに対するものである、請求項19記載のインターフェース。
【請求項２１】
当該インターフェースが、Iurインターフェースを含む、請求項18記載のインターフェース。
【請求項２２】
当該インターフェースは、前記第2の無線ネットワークコントローラから前記第1の無線ネットワークコントローラへの、1対多サービスのハンドオーバを実行する、請求項18記載のインターフェース。
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
第1及び第2のネットワーク要素に1対多のサービスセンタを動作可能に結合するホームゲートウェイであって、該第1及び第2のネットワーク要素は、第1及び第2の無線アクセス技術を用いて、前記第1及び第2の無線ネットワークにおいて無線端末と通信を行い、
前記第1の無線ネットワークは、前記無線端末及び当該ホームゲートウェイの間で或る中間的なネットワーク要素を介して、上りリンク及び下りリンク制御信号を伝送し、
前記第1のネットワーク要素及び前記無線端末間で上りリンク及び下りリンク制御信号がやり取りされたことに応じて、前記中間的なネットワーク要素を迂回することで、前記第2の無線ネットワークを介して1対多の信号を前記無線端末に配信する論理装置を有する、ホームゲートウェイ。
【請求項２】
前記1対多のサービスセンタが、ブロードキャスト／マルチキャストサービスセンタであり、
前記1対多の信号が、ブロードキャスト／マルチキャストサービスである、請求項1記載のホームゲートウェイ。
【請求項３】
前記第1のネットワーク要素及び当該ホームゲートウェイ間の中間的なネットワーク要素が、モビリティアンカである、請求項1又は2に記載のホームゲートウェイ。
【請求項４】
前記第2の無線ネットワークの前記第2のネットワーク要素が、当該ホームゲートウェイに直接的に接続される、請求項1乃至3の何れか1項に記載のホームゲートウェイ。
【請求項５】
或る無線アクセス技術を利用して1対多のサービスセンタから無線端末へ無線ネットワークを介して1対多信号を配信するネットワーク要素であって、前記無線端末は、別のネットワーク上の中間的なネットワーク要素及び別のネットワーク要素を介して、上りリンク及び下りリンク制御信号を用いて、1対多サービスのリクエストをホームゲートウェイに通知し、当該ネットワーク要素は、
前記第1のネットワーク要素及び前記無線端末間で上りリンク及び下りリンク制御信号のやり取りに応じて前記無線端末に送信するため、前記中間的なネットワーク要素を迂回して、前記ホームゲートウェイから1対多信号を受信する受信部を有する、ネットワーク要素。
【請求項６】
無線端末において1対多サービスを受信する方法であって、
第1の無線ネットワーク要素及び中間的なネットワーク要素を介して、第1の無線ネットワークにおいて、第1の無線アクセス技術を利用してサービス登録要求を送信するステップと、
前記第1の無線ネットワークにおいて、前記第1の無線ネットワーク要素を介してサービス鍵を受信するステップと、
前記第1の無線ネットワーク及び前記中間的なネットワーク要素を介して1対多サービスの配信要求を送信するステップと、
前記中間的なネットワーク要素を迂回し、前記サービス鍵を利用して、第2の無線ネットワークにおいて第2の無線アクセス技術により、第2の無線ネットワーク要素を介して１対多サービスを受信するステップと
を有する方法。
【請求項７】
前記第1の無線ネットワークが、ワイドバンド符号分割多重アクセス(W-CDMA)における周波数分割複信(FDD)ネットワーク及びTD-CDMAにおけるTDDネットワークを含む群中の何れかであり、
前記第2の無線ネットワークが、時分割複信符号分割多重アクセス(TD-CDMA)方式の下りリンク専用のネットワーク、及びW-CDMA方式の下りリンク専用のネットワークを含む群中の何れかである、請求項6記載の方法。
【請求項８】
無線端末により1対多サービスを受信するための命令を含むコンピュータ読取可能な媒体であって、前記命令は或る方法を前記無線端末に実行させ、該方法は、
第1の無線ネットワーク要素及び中間的なネットワーク要素を介して、第1の無線ネットワークにおいて、第1の無線アクセス技術を利用してサービス登録要求を送信するステップと、
前記第1の無線ネットワークにおいて、前記第1の無線ネットワーク要素を介してサービス鍵を受信するステップと、
前記第1の無線ネットワーク及び前記中間的なネットワーク要素を介して1対多サービスの配信要求を送信するステップと、
前記中間的なネットワーク要素を迂回し、前記サービス鍵を利用して、第2の無線ネットワークにおいて第2の無線アクセス技術により、第2の無線ネットワーク要素を介して１対多サービスを受信するステップと
を有する、コンピュータ読取可能な媒体。
【請求項９】
無線端末に1対多サービスを提供する方法であって、
第1の無線ネットワーク要素及び中間的なネットワーク要素を介して、第1の無線ネットワークにおいて第1の無線アクセス技術を用いてサービス登録要求を受信するステップと、
前記第1の無線ネットワーク要素を介して、第1の無線ネットワークにおいてサービス鍵を送信するステップと、
前記第1の無線ネットワーク要素及び前記中間的なネットワーク要素を介して1対多サービスの配信要求を受信するステップと、
前記中間的なネットワーク要素を迂回し、前記サービス鍵を利用して、第2の無線ネットワークにおいて第2の無線アクセス技術により、第2の無線ネットワーク要素を介して１対多サービスを送信するステップと
を有する方法。
【請求項１０】
無線端末に1対多サービスを提供するための命令を含むコンピュータ読取可能な媒体であって、前記命令は或る方法をコンピュータに実行させ、該方法は、
第1の無線ネットワーク要素及び中間的なネットワーク要素を介して、第1の無線ネットワークにおいて第1の無線アクセス技術を用いてサービス登録要求を受信するステップと、
前記第1の無線ネットワーク要素を介して、第1の無線ネットワークにおいてサービス鍵を送信するステップと、
前記第1の無線ネットワーク要素及び前記中間的なネットワーク要素を介して1対多サービスの配信要求を受信するステップと、
前記中間的なネットワーク要素を迂回し、前記サービス鍵を利用して、第2の無線ネットワークにおいて第2の無線アクセス技術により、第2の無線ネットワーク要素を介して１対多サービスを送信するステップと
を有する、コンピュータ読取可能な媒体。
【請求項１１】
通信システムでチャネルを設定する方法であって、前記通信システムは、第1及び第2の無線ネットワークにおいて互いに異なる第1及び第2の無線アクセス技術を使用する第1及び第2の無線ネットワークコントローラを有し、当該方法は、前記第1の無線ネットワークコントローラにおいて、
前記第2の無線ネットワークの前記第2の無線ネットワークコントローラへ、ダウンリンクチャネルの設定要求を送信し、及び
前記第2の無線ネットワークの前記第2の無線ネットワークコントローラから、ダウンリンクチャネルの設定応答を受信する、方法。
【請求項１２】
前記下りリンクチャネルの設定要求信号が、無線アクセスベアラ経路の設定要求を含み、
前記下りリンクチャネルの設定確認信号が、無線アクセスベアラ経路の設定応答を含む、請求項11記載の方法。
【請求項１３】
通信システムでチャネルを設定するための命令を含むコンピュータ読取可能な媒体であって、前記通信システムは、第1及び第2の無線ネットワークにおいて互いに異なる第1及び第2の無線アクセス技術を使用する第1及び第2の無線ネットワークコントローラを有し、前記命令は或る方法をコンピュータに実行させ、該方法は、
前記第2の無線ネットワークの前記第2の無線ネットワークコントローラへ、ダウンリンクチャネルの設定要求を送信し、及び
前記第2の無線ネットワークの前記第2の無線ネットワークコントローラから、ダウンリンクチャネルの設定応答を受信する、コンピュータ読取可能な媒体。
【請求項１４】
通信システムでチャネルを設定する第1の無線ネットワークコントローラであって、前記通信システムは、少なくとも1つの第2の無線ネットワークコントローラを含み、前記第1の無線ネットワークコントローラ及び第2の無線ネットワークコントローラは、第1及び第2の無線ネットワークにおいて互いに異なる第1及び第2の無線アクセス技術を使用し、当該第1の無線ネットワークコントローラは、
下りリンクチャネルの設定要求メッセージを生成する論理部と、
前記第2の無線ネットワーク前記第2の無線ネットワークコントローラへ、前記下りリンクのチャネル設定要求メッセージを送信する送信部と、
前記第2の無線ネットワーク前記第2の無線ネットワークコントローラから、前記下りリンクのチャネル設定応答メッセージを受信する送信部と、
前記第2の無線ネットワークコントローラから受信した下りリンクのチャネル設定応答に応じて、通信チャネルを設定するチャネル設定論理部と
を有する第1の無線ネットワークコントローラ。
【請求項１５】
第1及び第2の無線ネットワークコントローラを結合するインターフェースであって、第1及び第2の無線ネットワークコントローラは、第1及び第2の無線ネットワークにおいて互いに異なる第1及び第2の無線アクセス技術を使用し、当該インターフェースは、
前記第1の無線ネットワークコントローラから前記第2の無線ネットワークコントローラへ、下りリンクチャネルの設定要求信号を送信し、及び
前記第2の無線ネットワークコントローラから前記第1の無線ネットワークコントローラへ、下りリンクチャネルの設定確認信号を送信する、インターフェース。
【請求項１６】
前記第1の無線アクセス技術がW-CDMA方式を使用し、前記第2の無線アクセス技術がTD-CDMA方式を使用し、
前記下りリンクチャネルの設定要求信号が、無線アクセスベアラ経路の設定要求を含み、
前記下りリンクチャネルの設定確認信号が、無線アクセスベアラ経路の設定応答を含む、請求項15に記載のインターフェース。
【請求項１７】
当該インターフェースは、前記第2の無線ネットワークコントローラから前記第1の無線ネットワークコントローラへの、1対多サービスのハンドオーバを実行する、請求項15又は16に記載のインターフェース。
【国際調査報告】
2010500800.tif 000009
2010500800.tif 000010
2010500800.tif 000011